(57)【要約】【課題】水中における留守番電話機能に係るユーザ操作の煩わしさを解消し、また、水中での作業に注意を集中させる。【解決手段】電話着信が発生すると、携帯電話機が水中に在るかを判定し、水中ではない場合には、着信音鳴動や、バイブレータ駆動、着信画面表示の着信表示を行う。一方、携帯電話機が水中に在ると判定された場合には、携帯電話機に加わる水圧を検出し、水圧が閾値「ｎ」以上であるかを判定し、水圧が閾値「ｎ」以上と判定した場合には、留守番電話機能を起動し、水中専用の留守番電話応答メッセージを読み出して再生を行う。【選択図】図２
2012074922.tif 000002
【特許請求の範囲】
【請求項１】
防水構造を備え、電話着信に対して自動応答する留守番電話機能を提供する携帯電話機であって、
水中に在ることを検出する水中検出手段と、
水圧を検出する水圧検出手段と、
前記水中検出手段による検出結果と前記水圧検出手段による検出結果とに基づいて、前記留守番電話機能の動作を制御する制御手段と
を備えることを特徴とする携帯電話機。
【請求項２】
前記制御手段は、
電話着信が発生した際に、前記水中検出手段により当該携帯電話機が水中にあり、かつ、前記水圧検出手段により一定以上の水圧に在ると検出された場合に、前記留守番電話機能を起動し、所定の応答メッセージを再生することを特徴とする請求項１に記載の携帯電話機。
【請求項３】
前記留守番電話機能は、
ネットワークを介して提供される留守番電話サービスであり、
前記制御手段は、
前記水中検出手段により当該携帯電話機が水中にあり、かつ、前記水圧検出手段により一定以上の水圧に在ると検出された場合に、前記ネットワークを介して前記留守番電話サービスの使用を要求することを特徴とする請求項１または請求項２に記載の携帯電話機。
【請求項４】
前記制御手段は、
前記水中検出手段により当該携帯電話機が水中にあり、かつ、前記水圧検出手段により一定以上の水圧に在ると検出された場合に、電話着信が発生した際に前記留守番電話機能を動作させる留守番電話モードに設定することを特徴とする請求項１から請求項３の何れかに記載の携帯電話機。
【請求項５】
前記留守番機能は、
少なくとも、通話相手に所定の応答メッセージを再生する機能、または／及び通話相手からのメッセージを録音する機能を備えることを特徴とする請求項１から４のいずれかに記載の携帯電話機。
【請求項６】
防水構造を備えた携帯電話機の電話着信に対する留守番電話機能起動方法であって、
水中に在ることを検出する水中検出ステップと、
水圧を検出する水圧検出ステップと、
前記水中検出ステップでの検出結果と前記水圧検出ステップでの検出結果とに基づいて、前記留守番電話機能の動作を制御する制御ステップと
を含むことを特徴とする留守番電話機能起動方法。
【請求項７】
前記制御ステップは、
電話着信が発生した際に、前記水中検出ステップで当該携帯電話機が水中にあり、かつ、前記水圧検出ステップで一定以上の水圧に在ると検出された場合に、前記留守番電話機能を起動し、所定の応答メッセージを再生することを特徴とする請求項６に記載の留守番電話機能起動方法。
【請求項８】
前記留守番電話機能は、
ネットワークを介して提供される留守番電話サービスであり、
前記制御ステップは、
前記水中検出ステップで当該携帯電話機が水中にあり、かつ、前記水圧検出ステップで一定以上の水圧に在ると検出された場合に、前記ネットワークを介して前記留守番電話サービスの使用を要求することを特徴とする請求項６に記載の留守番電話機能起動方法。
【請求項９】
前記制御ステップは、
前記水中検出ステップで当該携帯電話機が水中にあり、かつ、前記水圧検出ステップで一定以上の水圧に在ると検出された場合に、電話着信が発生した際に前記留守番電話機能を動作させる留守番電話モードに設定することを特徴とする請求項６に記載の留守番電話機能起動方法。
【請求項１０】
防水構造を備え、電話着信に対して自動応答する留守番電話機能を提供する携帯電話機のコンピュータに、
水中に在ることを検出する水中検出機能、
水圧を検出する水圧検出機能、
前記水中検出機能での検出結果と前記水圧検出機能での検出結果とに基づいて、前記留守番電話機能の動作を制御する制御機能
を実行させることを特徴とするプログラム。
【発明の詳細な説明】
【技術分野】
【０００１】
本発明は、電話着信が発生した際に、携帯電話機が水中に在る場合であっても留守番電話機能で自動応答可能な携帯電話機、留守番電話機能起動方法、及びプログラムに関する。
【背景技術】
【０００２】
近年、水や埃による影響を軽減するために、防水機能を付加した携帯電話機が市場に提供されている。例えば、水中に在ることを検出する機能と、水圧を検出する機能とを有し、圧力の検出部により検出された負荷が水圧に起因するものなのか、他の圧力に起因するものなのかを判定し、水圧の程度に応じて所定の制御を行う携帯電話機が提案されている（例えば、特許文献１参照）。
【先行技術文献】
【特許文献】
【０００３】
【特許文献１】特開２０１０−３５０５４号公報
【発明の概要】
【発明が解決しようとする課題】
【０００４】
ところで、一般に、水中では、ユーザの呼吸や、発声が続かないため、会話による電話への対応が困難である。そのため、ダイビングでは、ユーザが直ちに水上へ浮上できない深い水中に在るときに、電話着信が発生した場合、電話対応の方法として留守番電話機能による応答が考えられる。
【０００５】
しかしながら、特許文献１のような携帯電話機においては、会話が困難である水中において発生した電話着信に応答するための考慮がなされておらず、水中に在るときに電話着信が発生した場合、ユーザ自らが携帯電話機を操作して留守番電話機能を起動する必要があり操作が煩わしかった。
【０００６】
また、留守番電話機能を起動する際に、一時的にユーザの注意が携帯電話機に向けられるため、水中で事故を起こす恐れがあった。また、特許文献１のダイバー機能を持たせた携帯電話機においては、水中と判定したことでキーロックをかけるため留守番電話機能を起動するためのユーザ操作もできなかった。
【０００７】
本発明は、上述の課題を解決することのできる携帯電話機、留守番電話機能起動方法、及びプログラムを提供することにある。
【課題を解決するための手段】
【０００８】
上述した課題を解決するために、本発明は、防水構造を備え、電話着信に対して自動応答する留守番電話機能を提供する携帯電話機であって、水中に在ることを検出する水中検出手段と、水圧を検出する水圧検出手段と、前記水中検出手段による検出結果と前記水圧検出手段による検出結果とに基づいて、前記留守番電話機能の動作を制御する制御手段とを備えることを特徴とする携帯電話機である。
【０００９】
また、上述した課題を解決するために、本発明は、防水構造を備えた携帯電話機の電話着信に対する留守番電話機能起動方法であって、水中に在ることを検出する水中検出ステップと、水圧を検出する水圧検出ステップと、前記水中検出ステップでの検出結果と前記水圧検出ステップでの検出結果とに基づいて、前記留守番電話機能の動作を制御する制御ステップとを含むことを特徴とする留守番電話機能起動方法である。
【００１０】
また、上述した課題を解決するために、本発明は、防水構造を備え、電話着信に対して自動応答する留守番電話機能を提供する携帯電話機のコンピュータに、水中に在ることを検出する水中検出機能、水圧を検出する水圧検出機能、前記水中検出機能での検出結果と前記水圧検出機能での検出結果とに基づいて、前記留守番電話機能の動作を制御する制御機能を実行させることを特徴とするプログラムである。
【発明の効果】
【００１１】
この発明によれば、水中における留守番電話機能に係るユーザ操作の煩わしさを解消することができ、また、水中での作業に注意を集中することができる。
【図面の簡単な説明】
【００１２】
【図１】本発明による携帯電話機の構成を示すブロック図である。
【図２】本第１実施形態による携帯電話機において留守番電話機能の起動から終了までを説明するためのフローチャートである。
【図３】本発明の第２実施形態の携帯電話機において留守番電話サービスの使用、及び停止を制御する動作を説明するためのフローチャートである。
【図４】本発明の第３実施形態による携帯電話機本体の留守番電話モードの設定、及び解除を制御する動作を説明するためのフローチャートである。
【発明を実施するための形態】
【００１３】
以下、本発明の一実施形態を、図面を参照して説明する。
本発明では、電話着信が発生した際に、携帯電話機が水中に在り、かつ閾値以上の水圧が加わっていることを判定し、当該判定結果に応じて自動的に留守番電話機能を起動して着信に応答する。さらに、本発明では、当該判定結果に水圧の条件を加えていることで、水圧が低い浅い水中であれば携帯電話機を水上に取り出して電話着信に応答するが、水圧が高い深い水中であれば携帯電話機を水中で使用継続しつつ電話着信に応答するといった使用方法の考慮も可能とする。
【００１４】
Ａ．第１実施形態
図１は、本発明の第１実施形態による携帯電話機の構成を示すブロック図である。図において、携帯電話機１００は、ＣＰＵ（中央処理装置）１０を搭載しており、ＣＰＵ１０は、バス３０を介して装置内の各部と接続されている。ＲＯＭ１１は、ＣＰＵ１０が実行するための電子メールエディタや、留守番電話機能、水中検出部２１、水圧検出部２２の制御といった各種の制御プログラムや、各種メロディを鳴音するための固定的なメロディデータを格納したリード・オン・メモリーである。また、ＲＯＭ１１には、後述する留守番電話機能を起動するための動作プログラムや、水中専用の応答メッセージのデータも格納している。
【００１５】
ＲＡＭ（ランダム・アクセス・メモリ）１２は、使用者が入力したデータや、ダウンロードしたデータを保存する用途に使用されると共に、インターネットにアクセスした際のデータを一時的に保存したり、作業用のメモリとしても利用される。また、ＲＡＭ１２は、本第１実施形態においては、留守番電話機能により録音された伝言メモのデータの格納にも利用している。
【００１６】
無線機送受信部１３は、無線によってデータの送受信を行う回路である。マイク１４、スピーカ１５、レシーバ１６は、通話を行う際に使用する音響部品であり、マイク１４にて送話者の音声を入力し、スピーカ１５またはレシーバ１６より相手話者の音声を出力する。表示制御部１７は、表示部１８の表示を制御する制御回路である。
【００１７】
キー入力部１９は、各種のキー（テンキー、機能キー、携帯電話機を折りたたんだり、スライドして閉じたりする際に外側に配置されるキー）より入力を受け付ける入力回路である。カメラ２０は、静止画や動画を撮影するための光学センサであり、ＣＰＵ１０が、キー入力部１９に割り付けられたシャッターボタンの押下を検知することで、カメラ２０に入力されている画像を、ＲＡＭ１２へ保存する。
【００１８】
水中検出部２１は、携帯電話機が水中に在るかを検出するための水分検知センサであり、電極間に水分が付着して電流が流れることで水分の存在を検知する。これにより、水圧検出部２２にて検出した負荷が、水圧によるものか、そうでないものかを判定する。なお、水中を検出する方法は、特許文献１にて提案されているような他の方法でもよい。水圧検出部２２は、圧力センサであり、水中における水圧を検出する。
【００１９】
次に、本第１実施形態の動作（留守番電話機能起動方法）について説明する。
図２は、本第１実施形態による携帯電話機において留守番電話機能の起動から終了までを説明するためのフローチャートである。該フローチャートは、電話着信発生時に実行される。電話着信が発生すると、図１の水中検出部２１を用いて携帯電話機が水中に在るかを判定し（ステップＳ１）、水中ではない場合には、例えば、着信音鳴動や、バイブレータ駆動、着信画面表示の着信表示を行う（ステップＳ２）。その後、従来の携帯電話機と同様、ユーザが着信への応答操作を行い（ステップＳ３）、例えば、会話による応対の後、電話を切断する（ステップＳ４）。
【００２０】
一方、携帯電話機が水中に在ると判定された場合には（ステップＳ１のＹＥＳ）、図１の水圧検出部２２を用いて携帯電話機に加わる水圧を検出し、水圧が閾値「ｎ」以上であるかを判定する（ステップＳ５）。そして、水圧が閾値「ｎ」未満の場合には、上述したステップＳ１の水中ではない場合と同様の処理を実施する（ステップＳ２〜Ｓ４）。
【００２１】
また、水圧が閾値「ｎ」以上と判定した場合には（ステップＳ５のＹＥＳ）、留守番電話機能を起動し（ステップＳ６）、図１のＲＯＭ１１から水中専用の留守番電話応答メッセージを読み出し、再生を行う（ステップＳ７）。メッセージ再生後は、発信相手からの伝言メモ録音を行い（ステップＳ８）、電話切断する（ステップＳ４）。
【００２２】
なお、ステップＳ５においての閾値「ｎ」は、携帯電話機の工場出荷時に設定されている固定値としてもよいし、ユーザにより変更可能な可変の値としてもよい。
【００２３】
上述した本第１実施形態によれば、携帯電話機が水中に在ること、及び一定以上の水圧であるかを判定し、当該判定結果に基づいて留守番電話機能を自動で起動して電話着信に応答するので、水中においてユーザが留守番電話起動の操作を行う必要がなくなり、操作の煩わしさを解消することができる。さらに、操作が不要となることで、ユーザの注意を携帯電話機から水中に関連する事項に向けることができる（水中での安全性を確保）。
【００２４】
また、本第１実施形態によれば、携帯電話機が水中に在ること、及び一定以上の水圧であるかを判定し、当該判定結果に基づいて留守番電話機能を自動で起動して電話着信に応答し、水中専用の応答メッセージを再生するので、電話を発信した側が、現在、着信側の携帯電話機が水中に在ることを容易に認識することができる。
【００２５】
また、本第１実施形態によれば、携帯電話機が水中に在ること、及び一定以上の水圧であるかを判定し、当該判定結果に基づいて留守番電話機能を自動で起動して電話着信に応答するので、着信音鳴動やバイブレータ駆動の様な着信表示が不要になり、その分の電力消費を抑えることができる。
【００２６】
Ｂ．第２実施形態
次に、本発明の第２実施形態について説明する。
本第２実施形態では、ネットワークにより実現される留守番電話サービスの使用、及び停止を制御する。なお、携帯電話機の構成は、図１と同様であるので説明を省略する。
【００２７】
図３は、本第２実施形態の携帯電話機において留守番電話サービスの使用、及び停止を制御する動作を説明するためのフローチャートである。本第２実施形態では、図２における水中に在るかの判定（ステップＳ１）と、水圧が閾値以上であるかの判定（ステップＳ５）を実施するタイミングを、例えば、タイマ等の携帯電話機内部で発生するイベントのタイミングで実施するように変更して、定期的に判定を行うようにする。
【００２８】
監視を開始すると、携帯電話機が水中に在るかを判定し（ステップＳ１０）、水中ではない場合、留守番電話サービスが停止中であるかを判定し（ステップＳ１１）、停止中ではない場には、ネットワークへ留守番電話サービス停止の信号を送信する（ステップＳ１２）。一方、留守番電話サービスが停止中である場合には（ステップＳ１１のＹＥＳ）、当該処理を終了する。
【００２９】
また、携帯電話機が水中に在ると判定した場合には（ステップＳ１０のＹＥＳ）、携帯電話機に加わる水圧が閾値「ｎ」以上であるかを判定する（ステップＳ１３）。そして、水圧が閾値「ｎ」未満の場合には（ステップＳ１３のＮＯ）、ステップＳ１０で水中ではないと判定した場合と同様に、ステップＳ１１〜Ｓ１２を実施して終了する。
【００３０】
一方、水圧が閾値「ｎ」以上の場合には（ステップＳ１３のＹＥＳ）、留守番電話サービスを使用中であるかを判定し（ステップＳ１４）、使用中でない場合には、ネットワークへ留守番電話サービス使用の信号を送信する（ステップＳ１５）。また、留守番電話サービス使用中の場合には（ステップＳ１４のＹＥＳ）、当該処理を終了する。
【００３１】
上述した第２実施形態によれば、携帯電話機が水中に在ること、及び一定以上の水圧であるかを判定し、当該判定結果に基づいて、ネットワークにより実現される留守番電話サービスの使用、及び停止を制御するので、水中においてユーザが留守番電話起動の操作を行う必要がなくなり、操作の煩わしさを解消することができる。さらに、操作が不要となることで、ユーザの注意を携帯電話機から水中に関連する事項に向けることができる（水中での安全性を確保）。
【００３２】
Ｃ．第３実施形態
次に、本発明の第３実施形態について説明する。
本第３実施形態は、前述した第２実施形態であるネットワークの設定の代わりに、携帯電話機本体の設定について、留守番電話モードの設定、及び解除を行う。
【００３３】
図４は、本第３実施形態による携帯電話機本体の留守番電話モードの設定、及び解除を制御する動作を説明するためのフローチャートである。本第３実施形態では、前述した第２実施形態におけるステップＳ１１とステップＳ１４の判定対象、及びステップＳ１２とステップＳ１５の設定対象を、ネットワークから携帯電話機本体に置き換えている。
【００３４】
監視を開始すると、携帯電話機が水中に在るかを判定し（ステップＳ２０）、水中ではない場合、留守番電話モードが解除中であるかを判定し（ステップＳ２１）、解除中ではない場には、携帯電話機を留守番電話モード解除に設定する（ステップＳ２２）。一方、留守番電話モードが解除中である場合には（ステップＳ２１のＹＥＳ）、当該処理を終了する。
【００３５】
また、携帯電話機が水中に在ると判定した場合には（ステップＳ２０のＹＥＳ）、携帯電話機に加わる水圧が閾値「ｎ」以上であるかを判定する（ステップＳ２３）。そして、水圧が閾値「ｎ」未満の場合には（ステップＳ２３のＮＯ）、ステップＳ２０で水中ではないと判定した場合と同様に、ステップＳ２１〜Ｓ２２を実施して終了する。
【００３６】
一方、水圧が閾値「ｎ」以上の場合には（ステップＳ２３のＹＥＳ）、留守番電話モードを設定中であるかを判定し（ステップＳ２４）、設定中でない場合には、携帯電話機を留守番電話モードに設定する（ステップＳ２５）。また、留守番電話モード設定中の場合には（ステップＳ２４のＹＥＳ）、当該処理を終了する。
【００３７】
上述した第３実施形態によれば、携帯電話機が水中に在ること、及び一定以上の水圧であるかを判定し、当該判定結果に基づいて、携帯電話機本体の留守番電話モードの設定、及び解除を制御するので、水中においてユーザが留守番電話起動の操作を行う必要がなくなり、操作の煩わしさを解消することができる。さらに、操作が不要となることで、ユーザの注意を携帯電話機から水中に関連する事項に向けることができる（水中での安全性を確保）。第３の実施形態の処理と第２の実施形態の処理とは、同時に行われるようにしてもよい。
【符号の説明】
【００３８】
１０  ＣＰＵ
１１  ＲＯＭ
１２  ＲＡＭ
１３  無線機送受信部
１４  マイク
１５  スピーカ
１６  レシーバ
１７  表示制御部
１８  表示部
１９  キー入力部
２０  カメラ
２１  水中検出部
２２  水圧検出部
３０  バス
【図１】
2012074922.tif 000003
【図２】
2012074922.tif 000004
【図３】
2012074922.tif 000005
【図４】
2012074922.tif 000006